(57)【特許請求の範囲】
【請求項１】
待ち受け状態の移動局が、所定周期で、指定されたセルにおける無線品質を取得して、ログ情報を生成して記憶する工程Ａと、
前記移動局が、待ち受けセルの変更を契機に、変更先の待ち受けセルにおける無線品質を取得し、前記ログ情報を生成して記憶する工程Ｂと、
前記移動局が、アクティブ状態に遷移した後に、無線基地局に対して、前記ログ情報を送信する工程Ｃとを有し、
前記ログ情報には、前記指定されたセルにおける無線品質、前記変更先の待ち受けセルにおける無線品質及び前記移動局が待ち受けセルを変更したことを示す情報が設定可能であることを特徴とする移動通信方法。
【請求項２】
前記移動局が、所定タイミングで、該移動局の位置情報を取得する工程Ｄを更に有し、
前記ログ情報には、前記位置情報が更に設定可能であり、
前記工程Ａ或いは前記工程Ｂにおいて、前記移動局は、取得してから所定時間が経過していない前記位置情報を記憶している場合、該位置情報を、前記ログ情報に含めることを特徴とする請求項１に記載の移動通信方法。
【請求項３】
前記ログ情報には、時刻情報が更に設定可能であり、
前記工程Ａ或いは前記工程Ｂにおいて、前記移動局は、前記ログ情報に、前記取得を行った際の時刻情報を含めることを特徴とする請求項１に記載の移動通信方法。
【請求項４】
待ち受け状態の移動局が、所定タイミングで、該移動局の位置情報を取得して、ログ情報を生成して記憶する工程Ａと、
前記移動局が、所定周期で、指定されたセルにおける無線品質を取得して、前記ログ情報を生成して記憶する工程Ｂと、
前記移動局が、待ち受けセルの変更を契機に、前記ログ情報を生成して記憶する工程Ｃと、
前記移動局が、圏外エリアに入ったことを検出した場合に、前記ログ情報を生成して記憶する工程Ｄと、
前記移動局が、アクティブ状態に遷移した後に、無線基地局に対して、前記ログ情報を送信する工程Ｅとを有し、
前記ログ情報には、前記位置情報、前記無線品質、前記移動局が待ち受けセルを変更したことを示す情報及び該移動局が在圏エリアに入ったことを示す情報のいずれか１つのみが設定可能であることを特徴とする移動通信方法。
【請求項５】
前記ログ情報には、時刻情報が更に設定可能であり、
前記工程Ａ、前記工程Ｂ、前記工程Ｃ或いは前記工程Ｂにおいて、前記移動局は、前記ログ情報に、前記取得或いは前記検出を行った際の時刻情報を含めることを特徴とする請求項４に記載の移動通信方法。
【請求項６】
移動局であって、
取得部と、管理部と、送信部とを具備しており、
前記移動局が、待ち受け状態である場合に、前記取得部は、所定周期で、指定されたセルにおける無線品質を取得して、前記管理部は、ログ情報を生成して記憶するように構成されており、
前記移動局が、待ち受けセルの変更を契機に、前記取得部は、変更先の待ち受けセルにおける無線品質を取得し、前記管理部は、前記ログ情報を生成して記憶するように構成されており、
前記移動局が、アクティブ状態に遷移した後に、前記送信部は、無線基地局に対して、前記ログ情報を送信するように構成されており、
前記ログ情報には、前記指定されたセルにおける無線品質、前記変更先の待ち受けセルにおける無線品質及び前記移動局が待ち受けセルを変更したことを示す情報が設定可能であることを特徴とする移動局。
【請求項７】
移動局であって、
取得部と、管理部と、送信部とを具備しており、
前記移動局が、待ち受け状態である場合に、前記取得部は、所定タイミングで、該移動局の位置情報を取得して、前記管理部は、ログ情報を生成して記憶するように構成されており、
前記移動局が、待ち受け状態である場合に、前記取得部は、所定周期で、指定されたセルにおける無線品質を取得して、前記管理部は、前記ログ情報を生成して記憶する記憶するように構成されており、
前記移動局が、待ち受けセルの変更を契機に、前記管理部は、前記ログ情報を生成して記憶するように構成されており、
前記移動局が、圏外エリアに入ったことを検出した場合に、前記管理部は、前記ログ情報を生成して記憶するように構成されており、
前記移動局が、アクティブ状態に遷移した後に、前記送信部は、無線基地局に対して、前記ログ情報を送信するように構成されており、
前記ログ情報には、前記位置情報、前記無線品質、前記移動局が待ち受けセルを変更したことを示す情報及び該移動局が在圏エリアに入ったことを示す情報のいずれか１つのみが設定可能であることを特徴とする移動局。
【発明の詳細な説明】
【技術分野】
【０００１】
本発明は、移動通信方法及び移動局に関する。
【背景技術】
【０００２】
ＬＴＥ（Ｌｏｎｇ  Ｔｅｒｍ  Ｅｖｏｌｕｔｉｏｎ）方式では、「ＭＤＴ（Ｍｉｎｉｍｉｓａｔｉｏｎ  ｏｆ  Ｄｒｉｖｅ  Ｔｅｓｔｓ）」が規定されている。
【０００３】
かかるＭＤＴのうち、「Ｌｏｇｇｅｄ  ＭＤＴ」では、第１に、移動局ＵＥは、待ち受け状態である場合に、「ＭＤＴ  Ｍｅａｓｕｒｅｍｅｎｔ  Ｃｏｎｆｉｇｕｒａｔｉｏｎ」によって指定されているＭＤＴ測定処理を行い、かかる測定結果を含むＭＤＴログを生成して記憶する。
【０００４】
第２に、移動局ＵＥは、所定セルにおいて、アクティブ状態に遷移する際に、かかる所定セルを管理する無線基地局ｅＮＢに対して、ＭＤＴログを記憶していることを示すＬｏｇ有通知を送信する。
【０００５】
第３に、移動局ＵＥは、かかる無線基地局ｅＮＢから、Ｌｏｇ報告要求を受信した場合に、かかる無線基地局ｅＮＢに対して、記憶しているＭＤＴログを報告する。
【先行技術文献】
【非特許文献】
【０００６】
【非特許文献１】３ＧＰＰ  ＴＲ３６.８０５
【非特許文献２】３ＧＰＰ  ＴＳ３７.３２０
【発明の概要】
【発明が解決しようとする課題】
【０００７】
しかしながら、従来のＬＴＥ方式では、どのようなメッセージ構造で、ＭＤＴログを生成するべきかについて、すなわち、どのタイミングでどの測定項目をＭＤＴログとして記憶するかについて規定されていないため、移動局ＵＥは、適切なＭＤＴに係る報告を行うことができないという問題点があった。
【０００８】
そこで、本発明は、上述の課題に鑑みてなされたものであり、適切なタイミングで適切な情報を含むＭＤＴログを最適なメッセージ構造で生成することができる移動通信方法及び移動局を提供することを目的とする。
【課題を解決するための手段】
【０００９】
本発明の第１の特徴は、移動通信方法であって、待ち受け状態の移動局が、所定周期で、指定されたセルにおける無線品質を取得し、第１ログ情報を生成して記憶する工程Ａと、前記移動局が、待ち受けセルを変更した場合に、変更先の待ち受けセルにおける無線品質を取得し、第２ログ情報を生成して記憶する工程Ｂと、前記移動局が、アクティブ状態に遷移した後に、無線基地局に対して、前記第１ログ情報及び第２ログ情報を送信する工程Ｃとを有することを要旨とする。
【００１０】
本発明の第２の特徴は、移動通信方法であって、待ち受け状態の移動局が、所定周期で、指定されたセルにおける無線品質を取得して、ログ情報を生成して記憶する工程Ａと、前記移動局が、待ち受けセルを変更した場合に、変更先の待ち受けセルにおける無線品質を取得し、前記ログ情報を生成して記憶する工程Ｂと、前記移動局が、アクティブ状態に遷移した後に、無線基地局に対して、前記ログ情報を送信する工程Ｃとを有し、前記ログ情報には、前記指定されたセルにおける無線品質、前記変更先の待ち受けセルにおける無線品質及び前記移動局が待ち受けセルを変更したことを示す情報が設定可能であることを要旨とする。
【００１１】
本発明の第３の特徴は、移動通信方法であって、待ち受け状態の移動局が、所定タイミングで、該移動局の位置情報を取得して、ログ情報を生成して記憶する工程Ａと、前記移動局が、所定周期で、指定されたセルにおける無線品質を取得して、前記ログ情報を生成して記憶する工程Ｂと、前記移動局が、待ち受けセルを変更した場合に、前記ログ情報を生成して記憶する工程Ｃと、前記移動局が、圏外エリアに入ったことを検出した場合に、前記ログ情報を生成して記憶する工程Ｄと、前記移動局が、アクティブ状態に遷移した後に、無線基地局に対して、前記ログ情報を送信する工程Ｅとを有し、前記ログ情報には、前記位置情報、前記無線品質、前記移動局が待ち受けセルを変更したことを示す情報及び該移動局が在圏エリアに入ったことを示す情報のいずれか１つのみが設定可能であることを要旨とする。
【００１２】
本発明の第４の特徴は、移動局であって、取得部と、管理部と、送信部とを具備しており、前記移動局が、待ち受け状態である場合に、前記取得部は、所定周期で、指定されたセルにおける無線品質を取得し、前記管理部は、第１ログ情報を生成して記憶するように構成されており、前記移動局が、待ち受けセルを変更した場合に、前記取得部は、変更先の待ち受けセルにおける無線品質を取得し、前記管理部は、第２ログ情報を生成して記憶するように構成されており、前記移動局が、アクティブ状態に遷移した後に、前記送信部は、無線基地局に対して、前記第１ログ情報及び第２ログ情報を送信するように構成されていることを要旨とする。
【００１３】
本発明の第５の特徴は、移動局であって、取得部と、管理部と、送信部とを具備しており、前記移動局が、待ち受け状態である場合に、前記取得部は、所定周期で、指定されたセルにおける無線品質を取得して、前記管理部は、ログ情報を生成して記憶するように構成されており、前記移動局が、待ち受けセルを変更した場合に、前記取得部は、変更先の待ち受けセルにおける無線品質を取得し、前記管理部は、前記ログ情報を生成して記憶するように構成されており、前記移動局が、アクティブ状態に遷移した後に、前記送信部は、無線基地局に対して、前記ログ情報を送信するように構成されており、前記ログ情報には、前記指定されたセルにおける無線品質、前記変更先の待ち受けセルにおける無線品質及び前記移動局が待ち受けセルを変更したことを示す情報が設定可能であることを要旨とする。
【００１４】
本発明の第６の特徴は、移動局であって、取得部と、管理部と、送信部とを具備しており、前記移動局が、待ち受け状態である場合に、前記取得部は、所定タイミングで、該移動局の位置情報を取得して、前記管理部は、ログ情報を生成して記憶するように構成されており、前記移動局が、待ち受け状態である場合に、前記取得部は、所定周期で、指定されたセルにおける無線品質を取得して、前記管理部は、前記ログ情報を生成して記憶する記憶するように構成されており、前記移動局が、待ち受けセルを変更した場合に、前記管理部は、前記ログ情報を生成して記憶するように構成されており、前記移動局が、圏外エリアに入ったことを検出した場合に、前記管理部は、前記ログ情報を生成して記憶するように構成されており、前記移動局が、アクティブ状態に遷移した後に、前記送信部は、無線基地局に対して、前記ログ情報を送信するように構成されており、前記ログ情報には、前記位置情報、前記無線品質、前記移動局が待ち受けセルを変更したことを示す情報及び該移動局が在圏エリアに入ったことを示す情報のいずれか１つのみが設定可能であることを要旨とする。
【発明の効果】
【００１５】
以上説明したように、本発明によれば、適切なタイミングで適切な情報を含むＭＤＴログを最適なメッセージ構造で生成することができる移動通信方法及び移動局を提供することができる。
【図面の簡単な説明】
【００１６】
【図１】本発明の第１の実施形態に係る移動通信システムの全体構成図である。
【図２】本発明の第１の実施形態に係る移動局の機能ブロック図である。
【図３】本発明の第１の実施形態に係る移動通信システムで報告されるＭＤＴログのＡＳＮ.１の表現の一例について示す図である。
【図４】本発明の第１の実施形態に係る移動通信システムで報告されるＭＤＴログのＡＳＮ.１の表現の一例について示す図である。
【図５】本発明の第１の実施形態に係る移動通信システムの動作を説明するための図である。
【図６】本発明の変更例１に係る移動通信システムで報告されるＭＤＴログのＡＳＮ.１の表現の一例について示す図である。
【図７】本発明の変更例１に係る移動通信システムの動作を説明するための図である。
【発明を実施するための形態】
【００１７】
（本発明の第１の実施形態に係る移動通信システム）
図１乃至図５を参照して、本発明の第１の実施形態に係る移動通信システムについて説明する。
【００１８】
図１に示すように、本実施形態に係る移動通信システムは、ＬＴＥ方式の移動通信システムであって、セル＃１を管理する無線基地局ｅＮＢ＃１と、セル＃２を管理する無線基地局ｅＮＢ＃２と、セル＃３を管理する無線基地局ｅＮＢ＃３とを具備している。
【００１９】
本実施形態に係る移動局ＵＥは、「Ｌｏｇｇｅｄ  ＭＤＴ」に対応可能であり、  図２に示すように、取得部１１と、ＭＤＴログ管理部１２と、送信部１３とを具備している。
【００２０】
取得部１１は、移動局ＵＥが、待ち受け状態（ＲＲＣ_Ｉｄｌｅ状態）である場合に、ＭＤＴログを生成するために必要な情報を取得するように構成されている。
【００２１】
例えば、取得部１１は、「Ｌｏｇｇｅｄ  ＭＤＴ  ｍｅａｓｕｒｅｍｅｎｔ  ｐｅｒｉｏｄ」で規定されている周期で、無線基地局ｅＮＢによって送信された「ＭＤＴ  Ｃｏｎｆｉｇｕｒａｔｉｏｎ」によって指定されたセル（周波数）における無線品質である「ＲＳＲＰ（Ｒｅｆｅｒｅｎｃｅ  Ｓｉｇｎａｌ  Ｒｅｃｅｉｖｅｄ  Ｐｏｗｅｒ）」や「ＲＳＲＰ（Ｒｅｆｅｒｅｎｃｅ  Ｓｉｇｎａｌ  Ｒｅｃｅｉｖｅｄ  Ｑｕａｌｉｔｙ）」を取得するように構成されていてもよい。
【００２２】
また、移動局ＵＥが、セル再選択処理（Ｃｅｌｌ  Ｒｅｓｅｌｅｃｔｉｏｎ）を行うことによって待ち受けセルを変更した場合、取得部１２は、変更先の待ち受けセルの識別情報である「Ｅ-ＣＧＩ（Ｅ-ＵＴＲＡＮ  Ｃｅｌｌ  Ｇｌｏｂａｌ  Ｉｄｅｎｔｉｆｉｅｒ）」や「ＰＣＩ（Ｐｈｙｓｉｃａｌ  Ｃｅｌｌ  Ｉｄｅｎｔｉｔｙ）」や、変更先の待ち受けセルにおける無線品質（ＲＳＲＰやＲＳＲＱ等）等を取得するように構成されていてもよい。
【００２３】
さらに、取得部１１は、「Ｌｏｇｇｅｄ  ＭＤＴ  ｍｅａｓｕｒｅｍｅｎｔ  ｐｅｒｉｏｄ」で規定されている周期とは異なるタイミングで、移動局ＵＥの位置情報を示す「Ｌｏｃａｔｉｏｎ  Ｉｎｆｏｒｍａｔｉｏｎ」を取得するように構成されていてもよい。
【００２４】
ここで、取得部１１は、上述の取得を行った際に時刻情報を示す「Ｔｉｍｅ  Ｓｔａｍｐ」を取得するように構成されていてもよい。
【００２５】
ＭＤＴログ管理部１２は、取得部１１によって取得された情報に基づいて、ＭＤＴログを生成して記憶するように構成されている。
【００２６】
例えば、ＭＤＴログ管理部１２は、取得部１１によって「Ｌｏｇｇｅｄ  ＭＤＴ  ｍｅａｓｕｒｅｍｅｎｔ  ｐｅｒｉｏｄ」で規定されている周期で取得された無線品質に基づいて、図３（ａ）に示す「ＬｏｇＭＤＴｒｅｐｏｒｔ」として、ＭＤＴログを生成するように構成されていてよい。
【００２７】
ここで、ＭＤＴログ管理部１２は、「ＬｏｇＭＤＴｒｅｐｏｒｔ」内の「ｍｄｔＭｅａｓＬｏｇ」に、かかる無線品質（ＭｅａｓＲｅｓｕｌｔ）を設定するように構成されている。
【００２８】
また、ＭＤＴログ管理部１２は、「ＬｏｇＭＤＴｒｅｐｏｒｔ」内の「ｔｉｍｅｓｔａｍｐ」に、かかる無線品質が取得された際の時刻情報（ＴｉｍｅＳｔａｍｐ）を設定するように構成されていてもよい。
【００２９】
さらに、ＭＤＴログ管理部１２は、「ＬｏｇＭＤＴｒｅｐｏｒｔ」内の「ｌｏｃＩｎｆｏ」に、取得部１１によって取得された最新の移動局ＵＥの位置情報（ＬｏｃａｔｉｏｎＩｎｆｏ）を設定するように構成されていてもよい。
【００３０】
ここで、ＭＤＴログ管理部１２は、かかる移動局ＵＥの位置情報について、取得されてからの経過時間に応じて、「ＬｏｇＭＤＴｒｅｐｏｒｔ」内の「ｌｏｃＩｎｆｏ」に設定するか否かについて判定するように構成されていてもよい。
【００３１】
すなわち、ＭＤＴログ管理部１２は、取得してから所定時間が経過していない移動局ＵＥの位置情報を記憶している場合、「ＬｏｇＭＤＴｒｅｐｏｒｔ」内の「ｌｏｃＩｎｆｏ」に、かかる移動局ＵＥの位置情報を設定するように構成されていてもよい。
【００３２】
一方、ＭＤＴログ管理部１２は、取得してから所定時間が経過している移動局ＵＥの位置情報しか記憶していない場合、「ＬｏｇＭＤＴｒｅｐｏｒｔ」内の「ｌｏｃＩｎｆｏ」に、かかる移動局ＵＥの位置情報を設定しないように構成されていてもよい。
【００３３】
すなわち、図３（ａ）に示す「ＬｏｇＭＤＴｒｅｐｏｒｔ」には、「ＭＤＴ  Ｃｏｎｆｉｇｕｒａｔｉｏｎ」によって指定されたセルにおける無線品質（ＭｅａｓＲｅｓｕｌｔ）、移動局ＵＥの位置情報（ＬｏｃａｔｉｏｎＩｎｆｏ）、時刻情報（ＴｉｍｅＳｔａｍｐ）が設定可能である。
【００３４】
一方、ＭＤＴログ管理部１２は、取得部１１によって待ち受けセルが変更された場合に取得された無線品質に基づいて、図３（ｂ）に示す「ＬｏｇＭＤＴＣｅｌｌＲｅｓｅｌｅｃｔ」として、ＭＤＴログを生成するように構成されていてよい。
【００３５】
ここで、ＭＤＴログ管理部１２は、「ＬｏｇＭＤＴＣｅｌｌＲｅｓｅｌｅｃｔ」内の「ｃｅｌｌＲｅｓｅｌｅｃｔ」に、かかる無線品質（ＭｅａｓＲｅｓｕｌｔ）を設定するように構成されている。
【００３６】
また、ＭＤＴログ管理部１２は、「ＬｏｇＭＤＴＣｅｌｌＲｅｓｅｌｅｃｔ」内の「ｔｉｍｅｓｔａｍｐ」に、かかる無線品質が取得された際の時刻情報（ＴｉｍｅＳｔａｍｐ）を設定するように構成されていてもよい。
【００３７】
さらに、ＭＤＴログ管理部１２は、「ＬｏｇＭＤＴＣｅｌｌＲｅｓｅｌｅｃｔ」内の「ｌｏｃＩｎｆｏ」に、取得部１１によって取得された最新の移動局ＵＥの位置情報（ＬｏｃａｔｉｏｎＩｎｆｏ）を設定するように構成されていてもよい。
【００３８】
ここで、ＭＤＴログ管理部１２は、取得してから所定時間が経過している移動局ＵＥの位置情報しか記憶していない場合、「ＬｏｇＭＤＴＣｅｌｌＲｅｓｅｌｅｃｔ」内の「ｌｏｃＩｎｆｏ」に、かかる移動局ＵＥの位置情報を設定しないように構成されていてもよい。
【００３９】
すなわち、図３（ｂ）に示す「ＬｏｇＭＤＴＣｅｌｌＲｅｓｅｌｅｃｔ」には、変更先の待ち受けセルにおける無線品質（ＭｅａｓＲｅｓｕｌｔ）、移動局ＵＥの位置情報（ＬｏｃａｔｉｏｎＩｎｆｏ）、時刻情報（ＴｉｍｅＳｔａｍｐ）が設定可能である。
【００４０】
或いは、ＭＤＴログ管理部１２は、図４に示す「ＬｏｇＭＤＴｒｅｐｏｒｔ」として、ＭＤＴログを生成するように構成されていてよい。
【００４１】
ここで、ＭＤＴログ管理部１２は、「ＬｏｇＭＤＴｒｅｐｏｒｔ」内の「ｍｄｔＭｅａｓＬｏｇ」に、取得部１１によって「Ｌｏｇｇｅｄ  ＭＤＴ  ｍｅａｓｕｒｅｍｅｎｔ  ｐｅｒｉｏｄ」で規定されている周期で取得された無線品質（ＭｅａｓＲｅｓｕｌｔ）を設定するように構成されている。
【００４２】
なお、ＭＤＴログ管理部１２は、「ＬｏｇＭＤＴｒｅｐｏｒｔ」内の「ｍｄｔＭｅａｓＬｏｇ」に、取得部１１によって待ち受けセルが変更された場合に取得された無線品質（ＭｅａｓＲｅｓｕｌｔ）を設定するように構成されていてもよい。
【００４３】
また、ＭＤＴログ管理部１２は、「ＬｏｇＭＤＴｒｅｐｏｒｔ」内の「ｔｉｍｅｓｔａｍｐ」に、かかる無線品質が取得された際の時刻情報（ＴｉｍｅＳｔａｍｐ）を設定するように構成されていてもよい。
【００４４】
さらに、ＭＤＴログ管理部１２は、「ＬｏｇＭＤＴｒｅｐｏｒｔ」内の「ｌｏｃＩｎｆｏ」に、取得部１１によって取得された最新の移動局ＵＥの位置情報（ＬｏｃａｔｉｏｎＩｎｆｏ）を設定するように構成されていてもよい。
【００４５】
ここで、ＭＤＴログ管理部１２は、取得してから所定時間が経過している移動局ＵＥの位置情報しか記憶していない場合、「ＬｏｇＭＤＴｒｅｐｏｒｔ」内の「ｌｏｃＩｎｆｏ」に、かかる移動局ＵＥの位置情報を設定しないように構成されていてもよい。
【００４６】
また、移動局ＵＥが、待ち受けセルを変更した場合には、ＭＤＴログ管理部１２は、「ＬｏｇＭＤＴｒｅｐｏｒｔ」内に、「ｃｅｌｌＲｅｓｅｌｅｃｔ」を設定するように構成されている。
【００４７】
さらに、移動局ＵＥが、圏外エリアに入ったことを検出した場合には、ＭＤＴログ管理部１２は、「ＬｏｇＭＤＴｒｅｐｏｒｔ」内に、「ｏｏｓ」を設定するように構成されている。
【００４８】
すなわち、図４に示す「ＬｏｇＭＤＴｒｅｐｏｒｔ」には、「ＭＤＴ  Ｃｏｎｆｉｇｕｒａｔｉｏｎ」によって指定されたセルにおける無線品質（ＭｅａｓＲｅｓｕｌｔ）、変更先の待ち受けセルにおける無線品質（ＭｅａｓＲｅｓｕｌｔ）、移動局ＵＥの位置情報（ＬｏｃａｔｉｏｎＩｎｆｏ）、時刻情報（ＴｉｍｅＳｔａｍｐ）、移動局ＵＥが待ち受けセルを変更したことを示す情報（ｃｅｌｌＲｅｓｅｌｅｃｔ）、及び、移動局ＵＥが圏外エリアに入ったことを示す情報（ｏｏｓ）が設定可能である。
【００４９】
送信部１３は、移動局ＵＥが、アクティブ状態（ＲＲＣ_Ｃｏｎｎｅｃｔｅｄ状態）に遷移した後に、無線基地局ｅＮＢに対して、「ＬｏｇＭＤＴｒｅｐｏｒｔ」及び「ＬｏｇＭＤＴＣｅｌｌＲｅｓｅｌｅｃｔ」を送信するように構成されている。
【００５０】
具体的には、送信部１３は、移動局ＵＥが、アクティブ状態に遷移した後に、無線基地局ｅＮＢに対して、ＭＤＴログを記憶していることを示すＬｏｇ有通知を送信し、無線基地局ｅＮＢから、Ｌｏｇ報告要求を受信した場合に、ＲＲＣメッセージによって、かかる「ＬｏｇＭＤＴｒｅｐｏｒｔ」及び「ＬｏｇＭＤＴＣｅｌｌＲｅｓｅｌｅｃｔ」を送信するように構成されている。
【００５１】
以下、図５（ａ）及び図５（ｂ）を参照して、本発明の第１の実施形態に係る移動通信システムの動作の一例について説明する。
【００５２】
図５（ａ）に示すように、ステップＳ１０１において、セル＃１を待ち受けセルとしている移動局ＵＥが、ＭＤＴ測定処理＃１を行い、ＭＤＴログ＃１を生成して記憶する。
【００５３】
ここで、ＭＤＴログ＃１には、指定されているセル＃１乃至＃３における無線品質（ＭｅａｓＲｅｓｕｌｔ）、移動局ＵＥの位置情報（ＬｏｃａｔｉｏｎＩｎｆｏ）としての「ＲＦ  ｆｉｎｇｅｒ  ｐｒｉｎｔ」、及び、時刻情報（ＴｉｍｅＳｔａｍｐ）が含まれる。
【００５４】
また、ＭＤＴログ＃１は、図３（ａ）に示す「ＬｏｇＭＤＴｒｅｐｏｒｔ」として生成されてもよいし、図４に示す「ＬｏｇＭＤＴｒｅｐｏｒｔ」として生成されてもよい。
【００５５】
ステップＳ１０２において、移動局ＵＥが、移動局ＵＥの位置情報（ＬｏｃａｔｉｏｎＩｎｆｏ）として、「ＧＮＳＳ  Ｌｏｃ.  Ｉｎｆｏ＃１」を取得する。
【００５６】
ステップＳ１０３において、移動局ＵＥが、ＭＤＴ測定処理＃２を行い、ＭＤＴログ＃２を生成して記憶する。
【００５７】
ここで、ＭＤＴログ＃２には、指定されているセル＃１乃至＃３における無線品質（ＭｅａｓＲｅｓｕｌｔ）、移動局ＵＥの位置情報（ＬｏｃａｔｉｏｎＩｎｆｏ）としての「ＧＮＳＳ  Ｌｏｃ.  Ｉｎｆｏ＃１」、及び、時刻情報（ＴｉｍｅＳｔａｍｐ）が含まれる。
【００５８】
また、ＭＤＴログ＃２は、図３（ａ）に示す「ＬｏｇＭＤＴｒｅｐｏｒｔ」として生成されてもよいし、図４に示す「ＬｏｇＭＤＴｒｅｐｏｒｔ」として生成されてもよい。
【００５９】
ステップＳ１０４において、移動局ＵＥが、移動局ＵＥの位置情報（ＬｏｃａｔｉｏｎＩｎｆｏ）として、「ＧＮＳＳ  Ｌｏｃ.  Ｉｎｆｏ＃２」を取得する。
【００６０】
ステップＳ１０５において、移動局ＵＥが、ＭＤＴ測定処理＃３を行い、ＭＤＴログ＃３を生成して記憶する。
【００６１】
ここで、ＭＤＴログ＃３には、指定されているセル＃１乃至＃３における無線品質（ＭｅａｓＲｅｓｕｌｔ）、移動局ＵＥの位置情報（ＬｏｃａｔｉｏｎＩｎｆｏ）としての「ＧＮＳＳ  Ｌｏｃ.  Ｉｎｆｏ＃２」、及び、時刻情報（ＴｉｍｅＳｔａｍｐ）が含まれる。
【００６２】
また、ＭＤＴログ＃３は、図３（ａ）に示す「ＬｏｇＭＤＴｒｅｐｏｒｔ」として生成されてもよいし、図４に示す「ＬｏｇＭＤＴｒｅｐｏｒｔ」として生成されてもよい。
【００６３】
ステップＳ１０６において、移動局ＵＥが、ＭＤＴ測定処理＃４を行い、ＭＤＴログ＃４を生成して記憶する。
【００６４】
ここで、ＭＤＴログ＃４には、指定されているセル＃１乃至＃３における無線品質（ＭｅａｓＲｅｓｕｌｔ）、移動局ＵＥの位置情報（ＬｏｃａｔｉｏｎＩｎｆｏ）としての「ＧＮＳＳ  Ｌｏｃ.  Ｉｎｆｏ＃２」、及び、時刻情報（ＴｉｍｅＳｔａｍｐ）が含まれる。
【００６５】
なお、ＭＤＴログ＃４に含まれる移動局ＵＥの位置情報（ＬｏｃａｔｉｏｎＩｎｆｏ）は、ＭＤＴログ＃３に含まれる移動局ＵＥの位置情報（ＬｏｃａｔｉｏｎＩｎｆｏ）と同じ「ＧＮＳＳ  Ｌｏｃ.  Ｉｎｆｏ＃２」である。
【００６６】
また、ＭＤＴログ＃４は、図３（ａ）に示す「ＬｏｇＭＤＴｒｅｐｏｒｔ」として生成されてもよいし、図４に示す「ＬｏｇＭＤＴｒｅｐｏｒｔ」として生成されてもよい。
【００６７】
ステップＳ１０７において、移動局ＵＥが、移動局ＵＥの位置情報（ＬｏｃａｔｉｏｎＩｎｆｏ）として、「ＧＮＳＳ  Ｌｏｃ.  Ｉｎｆｏ＃３」を取得する。
【００６８】
一方、図５（ｂ）に示すように、ステップＳ２０１において、移動局ＵＥが、セル再選択処理を行うことによって待ち受けセルをセル＃１からセル＃２に変更し、ＭＤＴ測定処理＃１０を行い、ＭＤＴログ＃１０を生成して記憶する。
【００６９】
ここで、ＭＤＴログ＃１０には、変更先の待ち受けセル＃２における無線品質（ＭｅａｓＲｅｓｕｌｔ）、移動局ＵＥの位置情報（ＬｏｃａｔｉｏｎＩｎｆｏ）としての「ＧＮＳＳ  Ｌｏｃ.  Ｉｎｆｏ＃１」、及び、時刻情報（ＴｉｍｅＳｔａｍｐ）が含まれる。
【００７０】
また、ＭＤＴログ＃１０は、図３（ａ）に示す「ＬｏｇＭＤＴＣｅｌｌＲｅｓｅｌｅｃｔ」として生成されてもよいし、図４に示す「ＬｏｇＭＤＴｒｅｐｏｒｔ」として生成されてもよい。
【００７１】
本発明の第１の実施形態に係る移動通信システムによれば、移動局ＵＥは、図３乃至図５を用いて説明したように、適切なタイミングで適切な情報を含むＭＤＴログを最適なメッセージ構造で生成することができる。
【００７２】
（変更例１）
以下、図６及び図７を参照して、本発明の変更例１に係る移動通信システムについて、上述の第１の実施形態に係る移動通信システムとの相違点に着目して説明する。
【００７３】
本変更例１に係る移動通信システムでは、ＭＤＴログ管理部１２は、図６に示す「ＬｏｇＭＤＴｒｅｐｏｒｔ」として、ＭＤＴログを生成するように構成されていてよい。
【００７４】
ここで、取得部１１が、「Ｌｏｇｇｅｄ  ＭＤＴ  ｍｅａｓｕｒｅｍｅｎｔ  ｐｅｒｉｏｄ」で規定されている周期で、「ＭＤＴ  Ｃｏｎｆｉｇｕｒａｔｉｏｎ」によって指定されている無線品質を取得した場合には、ＭＤＴログ管理部１２は、「ＬｏｇＭＤＴｒｅｐｏｒｔ」内の「ｍｅａｓＲｅｓｕｌｔ」に、かかる無線品質（ＭｅａｓＲｅｓｕｌｔ）を設定するように構成されている。
【００７５】
また、取得部１１が、所定タイミングで、移動局ＵＥの位置情報を取得した場合には、ＭＤＴログ管理部１２は、「ＬｏｇＭＤＴｒｅｐｏｒｔ」内の「ｌｏｃＩｎｆｏ」に、かかる移動局ＵＥの位置情報（ＬｏｃａｔｉｏｎＩｎｆｏ）を設定するように構成されている。
【００７６】
また、移動局ＵＥが、待ち受けセルを変更したことを検出した場合には、ＭＤＴログ管理部１２は、「ＬｏｇＭＤＴｒｅｐｏｒｔ」内の「ＣｅｌｌＲｅｓｅｌ」に、移動局ＵＥが待ち受けセルを変更したことを示す情報（ＣｅｌｌＲｅｓｅｌ）を設定するように構成されている。
【００７７】
なお、ＭＤＴログ管理部１２は、「ＬｏｇＭＤＴｒｅｐｏｒｔ」内の「ＣｅｌｌＲｅｓｅｌ」に、変更先の待ち受けセルにおける無線品質や、変更先の待ち受けセルの識別情報（Ｅ-ＣＧＩやＰＣＩ等）を設定するように構成されていてもよい。
【００７８】
さらに、移動局ＵＥが、圏外エリアに入ったことを検出した場合には、ＭＤＴログ管理部１２は、「ＬｏｇＭＤＴｒｅｐｏｒｔ」内に、「ｏｏｓ」を設定するように構成されている。
【００７９】
また、ＭＤＴログ管理部１２は、「ＬｏｇＭＤＴｒｅｐｏｒｔ」内の「ｔｉｍｅｓｔａｍｐ」に、上述の取得及び検出が行われた際の時刻情報（ＴｉｍｅＳｔａｍｐ）を設定するように構成されていてもよい。
【００８０】
すなわち、図６に示す「ＬｏｇＭＤＴｒｅｐｏｒｔ」には、移動局ＵＥの位置情報（ＬｏｃａｔｉｏｎＩｎｆｏ）、「ＭＤＴ  Ｃｏｎｆｉｇｕｒａｔｉｏｎ」によって指定されたセルにおける無線品質（ＭｅａｓＲｅｓｕｌｔ）、移動局ＵＥが待ち受けセルを変更したことを示す情報（ＣｅｌｌＲｅｓｅｌ）及び移動局ＵＥが在圏エリアに入ったことを示す情報（ｏｏｓ）のいずれか１つのみが設定可能である。
【００８１】
以下、図７を参照して、本変更例１に係る移動通信システムの動作の一例について説明する。
【００８２】
図７に示すように、ステップＳ３０１において、セル＃１を待ち受けセルとしている移動局ＵＥが、ＭＤＴ測定処理＃１を行い、図６に示す「ＬｏｇＭＤＴｒｅｐｏｒｔ」として、ＭＤＴログ＃１を生成して記憶する。
【００８３】
ここで、ＭＤＴログ＃１には、指定されているセル＃１乃至＃３における無線品質（ＭｅａｓＲｅｓｕｌｔ）、及び、時刻情報（ＴｉｍｅＳｔａｍｐ）が含まれる。
【００８４】
ステップＳ３０２において、移動局ＵＥが、移動局ＵＥの位置情報（ＬｏｃａｔｉｏｎＩｎｆｏ）として、「ＧＮＳＳ  Ｌｏｃ.  Ｉｎｆｏ＃１」を取得すると、図６に示す「ＬｏｇＭＤＴｒｅｐｏｒｔ」として、ＭＤＴログ＃２を生成して記憶する。
【００８５】
ここで、ＭＤＴログ＃２には、移動局ＵＥの位置情報（ＬｏｃａｔｉｏｎＩｎｆｏ）としての「ＧＮＳＳ  Ｌｏｃ.  Ｉｎｆｏ＃１」、及び、時刻情報（ＴｉｍｅＳｔａｍｐ）が含まれる。
【００８６】
ステップＳ３０３において、移動局ＵＥが、ＭＤＴ測定処理＃２を行い、図６に示す「ＬｏｇＭＤＴｒｅｐｏｒｔ」として、ＭＤＴログ＃３を生成して記憶する。
【００８７】
ここで、ＭＤＴログ＃３には、指定されているセル＃１乃至＃３における無線品質（ＭｅａｓＲｅｓｕｌｔ）、及び、時刻情報（ＴｉｍｅＳｔａｍｐ）が含まれる。
【００８８】
ステップＳ３０４において、移動局ＵＥが、移動局ＵＥの位置情報（ＬｏｃａｔｉｏｎＩｎｆｏ）として、「ＧＮＳＳ  Ｌｏｃ.  Ｉｎｆｏ＃２」を取得すると、図６に示す「ＬｏｇＭＤＴｒｅｐｏｒｔ」として、ＭＤＴログ＃４を生成して記憶する。
【００８９】
ここで、ＭＤＴログ＃４には、移動局ＵＥの位置情報（ＬｏｃａｔｉｏｎＩｎｆｏ）としての「ＧＮＳＳ  Ｌｏｃ.  Ｉｎｆｏ＃２」、及び、時刻情報（ＴｉｍｅＳｔａｍｐ）が含まれる。
【００９０】
ステップＳ３０５において、移動局ＵＥが、ＭＤＴ測定処理＃３を行い、図６に示す「ＬｏｇＭＤＴｒｅｐｏｒｔ」として、ＭＤＴログ＃５を生成して記憶する。
【００９１】
ここで、ＭＤＴログ＃３には、指定されているセル＃１乃至＃３における無線品質（ＭｅａｓＲｅｓｕｌｔ）、及び、時刻情報（ＴｉｍｅＳｔａｍｐ）が含まれる。
【００９２】
ステップＳ３０６において、移動局ＵＥが、セル再選択処理を行うことによって待ち受けセルをセル＃１からセル＃２に変更し、図６に示す「ＬｏｇＭＤＴｒｅｐｏｒｔ」として、ＭＤＴログ＃１０を生成して記憶する。
【００９３】
ここで、ＭＤＴログ＃１０には、移動局ＵＥが待ち受けセルを変更したことを示す情報（ＣｅｌｌＲｅｓｅｌ）、及び、時刻情報（ＴｉｍｅＳｔａｍｐ）が含まれる。
【００９４】
ステップＳ３０７において、移動局ＵＥが、ＭＤＴ測定処理＃４を行い、図６に示す「ＬｏｇＭＤＴｒｅｐｏｒｔ」として、ＭＤＴログ＃６を生成して記憶する。
【００９５】
ここで、ＭＤＴログ＃６には、指定されているセル＃１乃至＃３における無線品質（ＭｅａｓＲｅｓｕｌｔ）、及び、時刻情報（ＴｉｍｅＳｔａｍｐ）が含まれる。
【００９６】
ステップＳ３０８において、移動局ＵＥが、移動局ＵＥの位置情報（ＬｏｃａｔｉｏｎＩｎｆｏ）として、「ＧＮＳＳ  Ｌｏｃ.  Ｉｎｆｏ＃３」を取得すると、図６に示す「ＬｏｇＭＤＴｒｅｐｏｒｔ」として、ＭＤＴログ＃７を生成して記憶する。
【００９７】
ここで、ＭＤＴログ＃７には、移動局ＵＥの位置情報（ＬｏｃａｔｉｏｎＩｎｆｏ）としての「ＧＮＳＳ  Ｌｏｃ.  Ｉｎｆｏ＃３」、及び、時刻情報（ＴｉｍｅＳｔａｍｐ）が含まれる。
【００９８】
ステップＳ３０９において、移動局ＵＥが、圏外エリアに入ったことを検出し、図６に示す「ＬｏｇＭＤＴｒｅｐｏｒｔ」として、ＭＤＴログ＃２０を生成して記憶する。
【００９９】
ここで、ＭＤＴログ＃２０には、移動局ＵＥが圏外エリアに入ったことを示す情報（ｏｏｓ）、及び、時刻情報（ＴｉｍｅＳｔａｍｐ）が含まれる。
【０１００】
本発明の第１の実施形態に係る移動通信システムによれば、移動局ＵＥは、図６及び図７を用いて説明したように、適切なタイミングで適切な情報を含むＭＤＴログを最適なメッセージ構造で生成することができる。
【０１０１】
以上に述べた本実施形態の特徴は、以下のように表現されていてもよい。
【０１０２】
本実施形態の第１の特徴は、移動通信方法であって、待ち受け状態の移動局ＵＥが、「Ｌｏｇｇｅｄ  ＭＤＴ  ｍｅａｓｕｒｅｍｅｎｔ  ｐｅｒｉｏｄ」で規定されている周期（所定周期）で、「ＭＤＴ  Ｃｏｎｆｉｇｕｒａｔｉｏｎ」で指定されたセルにおける無線品質を取得し、「ＬｏｇＭＤＴｒｅｐｏｒｔ（第１ログ情報）」を生成して記憶する工程Ａと、移動局ＵＥが、待ち受けセルを変更した場合に、変更先の待ち受けセルにおける無線品質を取得し、「ＬｏｇＭＤＴＣｅｌｌＲｅｓｅｌｅｃｔ（第２ログ情報）」を生成して記憶する工程Ｂと、移動局ＵＥが、アクティブ状態に遷移した後に、無線基地局ｅＮＢに対して、「ＬｏｇＭＤＴｒｅｐｏｒｔ」及び「ＬｏｇＭＤＴＣｅｌｌＲｅｓｅｌｅｃｔ」を送信する工程Ｃとを有することを要旨とする。
【０１０３】
本実施形態の第１の特徴において、移動局ＵＥが、所定タイミングで、移動局ＵＥの位置情報を取得する工程Ｄを更に有し、工程Ａ或いは工程Ｂにおいて、移動局ＵＥは、取得してから所定時間が経過していない移動局ＵＥの位置情報を記憶している場合、かかる移動局ＵＥの位置情報（ＬｏｃａｔｉｏｎＩｎｆｏ）を、「ＬｏｇＭＤＴｒｅｐｏｒｔ」或いは「ＬｏｇＭＤＴＣｅｌｌＲｅｓｅｌｅｃｔ」内の「ｌｏｃＩｎｆｏ」に含めてもよい。
【０１０４】
本実施形態の第１の特徴において、工程Ａ或いは工程Ｂにおいて、移動局ＵＥは、「ＬｏｇＭＤＴｒｅｐｏｒｔ」或いは「ＬｏｇＭＤＴＣｅｌｌＲｅｓｅｌｅｃｔ」内の「ｔｉｍｅｓｔａｍｐ」に、上述の取得を行った際の時刻情報（ＴｉｍｅＳｔａｍｐ）を含めてもよい。
【０１０５】
本実施形態の第２の特徴は、待ち受け状態の移動局ＵＥが、「Ｌｏｇｇｅｄ  ＭＤＴ  ｍｅａｓｕｒｅｍｅｎｔ  ｐｅｒｉｏｄ」で規定されている周期で、「ＭＤＴ  Ｃｏｎｆｉｇｕｒａｔｉｏｎ」で指定されたセルにおける無線品質を取得して、「ＬｏｇＭＤＴｒｅｐｏｒｔ（ログ情報）」を生成して記憶する工程Ａと、移動局ＵＥが、待ち受けセルを変更した場合に、変更先の待ち受けセルにおける無線品質を取得し、「ＬｏｇＭＤＴｒｅｐｏｒｔ」を生成して記憶する工程Ｂと、移動局ＵＥが、アクティブ状態に遷移した後に、無線基地局ｅＮＢに対して、「ＬｏｇＭＤＴｒｅｐｏｒｔ」を送信する工程Ｃとを有し、「ＬｏｇＭＤＴｒｅｐｏｒｔ」には、上述の指定されたセルにおける無線品質（ＭｅａｓＲｅｓｕｌｔ）、変更先の待ち受けセルにおける無線品質（ＭｅａｓＲｅｓｕｌｔ）及び移動局ＵＥが待ち受けセルを変更したことを示す情報（ｃｅｌｌＲｅｓｅｌｅｃｔ）が設定可能であることを要旨とする。
【０１０６】
本実施形態の第２の特徴において、移動局ＵＥが、所定タイミングで、移動局ＵＥの位置情報を取得する工程Ｄを更に有し、「ＬｏｇＭＤＴｒｅｐｏｒｔ」には、移動局ＵＥの位置情報が更に設定可能であり、工程Ａ或いは工程Ｂにおいて、移動局ＵＥは、取得してから所定時間が経過していない移動局ＵＥの位置情報を記憶している場合、かかる移動局ＵＥの位置情報（ＬｏｃａｔｉｏｎＩｎｆｏ）を、「ＬｏｇＭＤＴｒｅｐｏｒｔ」内の「ｌｏｃＩｎｆｏ」に含めてもよい。
【０１０７】
本実施形態の第２の特徴において、「ＬｏｇＭＤＴｒｅｐｏｒｔ」には、時刻情報（ＴｉｍｅＳｔａｍｐ）が更に設定可能であり、工程Ａ或いは工程Ｂにおいて、移動局ＵＥは、「ＬｏｇＭＤＴｒｅｐｏｒｔ」内の「ｔｉｍｅｓｔａｍｐ」に、上述の取得を行った際の時刻情報（ＴｉｍｅＳｔａｍｐ）を含めてもよい。
【０１０８】
本実施形態の第３の特徴は、待ち受け状態の移動局ＵＥが、所定タイミングで、移動局ＵＥの位置情報を取得して、「ＬｏｇＭＤＴｒｅｐｏｒｔ」を生成して記憶する工程Ａと、移動局ＵＥが、「Ｌｏｇｇｅｄ  ＭＤＴ  ｍｅａｓｕｒｅｍｅｎｔ  ｐｅｒｉｏｄ」で規定されている周期で、「ＭＤＴ  Ｃｏｎｆｉｇｕｒａｔｉｏｎ」で指定されたセルにおける無線品質を取得して、「ＬｏｇＭＤＴｒｅｐｏｒｔ」を生成して記憶する工程Ｂと、移動局ＵＥが、待ち受けセルを変更した場合に、「ＬｏｇＭＤＴｒｅｐｏｒｔ」を生成して記憶する工程Ｃと、移動局ＵＥが、圏外エリアに入ったことを検出した場合に、「ＬｏｇＭＤＴｒｅｐｏｒｔ」を生成して記憶する工程Ｄと、移動局ＵＥが、アクティブ状態に遷移した後に、無線基地局ｅＮＢに対して、「ＬｏｇＭＤＴｒｅｐｏｒｔ」を送信する工程Ｅとを有し、「ＬｏｇＭＤＴｒｅｐｏｒｔ」には、移動局ＵＥの位置情報（ＬｏｃａｔｉｏｎＩｎｆｏ）、上述の無線品質（ＭｅａｓＲｅｓｕｌｔ）、移動局ＵＥが待ち受けセルを変更したことを示す情報（ＣｅｌｌＲｅｓｅｌ）及び移動局ＵＥが在圏エリアに入ったことを示す情報（ｏｏｓ）のいずれか１つのみが設定可能であることを要旨とする。
【０１０９】
本実施形態の第３の特徴において、「ＬｏｇＭＤＴｒｅｐｏｒｔ」には、時刻情報（ＴｉｍｅＳｔａｍｐ）が更に設定可能であり、工程Ａ、工程Ｂ、工程Ｃ或いは工程Ｂにおいて、移動局ＵＥは、「ＬｏｇＭＤＴｒｅｐｏｒｔ」内の「ｔｉｍｅｓｔａｍｐ」に、上述の取得或いは検出が行われた際の時刻情報（ＴｉｍｅＳｔａｍｐ）を含めてもよい。
【０１１０】
本実施形態の第４の特徴は、移動局ＵＥであって、取得部１１と、ＭＤＴログ管理部１２と、送信部１３とを具備しており、移動局ＵＥが、待ち受け状態である場合に、取得部１１は、「Ｌｏｇｇｅｄ  ＭＤＴ  ｍｅａｓｕｒｅｍｅｎｔ  ｐｅｒｉｏｄ」で規定されている周期で、「ＭＤＴ  Ｃｏｎｆｉｇｕｒａｔｉｏｎ」で指定されたセルにおける無線品質を取得し、ＭＤＴログ管理部１２は、「ＬｏｇＭＤＴｒｅｐｏｒｔ」を生成して記憶するように構成されており、移動局ＵＥが、待ち受けセルを変更した場合に、取得部１１は、変更先の待ち受けセルにおける無線品質を取得し、ＭＤＴログ管理部１２は、「ＬｏｇＭＤＴＣｅｌｌＲｅｓｅｌｅｃｔ」を生成して記憶するように構成されており、移動局ＵＥが、アクティブ状態に遷移した後に、送信部１３は、無線基地局ｅＮＢに対して、「ＬｏｇＭＤＴｒｅｐｏｒｔ」及び「ＬｏｇＭＤＴＣｅｌｌＲｅｓｅｌｅｃｔ」を送信するように構成されていることを要旨とする。
【０１１１】
本実施形態の第５の特徴は、移動局ＵＥであって、取得部１１と、ＭＤＴログ管理部１２と、送信部１３とを具備しており、移動局ＵＥが、待ち受け状態である場合に、取得部１１は、「Ｌｏｇｇｅｄ  ＭＤＴ  ｍｅａｓｕｒｅｍｅｎｔ  ｐｅｒｉｏｄ」で規定されている周期で、「ＭＤＴ  Ｃｏｎｆｉｇｕｒａｔｉｏｎ」で指定されたセルにおける無線品質を取得して、ＭＤＴログ管理部１２は、「ＬｏｇＭＤＴｒｅｐｏｒｔ」を生成して記憶するように構成されており、移動局ＵＥが、待ち受けセルを変更した場合に、取得部１１は、変更先の待ち受けセルにおける無線品質を取得し、ＭＤＴログ管理部１２は、「ＬｏｇＭＤＴｒｅｐｏｒｔ」を生成して記憶するように構成されており、移動局ＵＥが、アクティブ状態に遷移した後に、送信部１３は、無線基地局ｅＮＢに対して、「ＬｏｇＭＤＴｒｅｐｏｒｔ」を送信するように構成されており、「ＬｏｇＭＤＴｒｅｐｏｒｔ」には、上述の指定されたセルにおける無線品質（ＭｅａｓＲｅｓｕｌｔ）、変更先の待ち受けセルにおける無線品質（ＭｅａｓＲｅｓｕｌｔ）及び移動局ＵＥが待ち受けセルを変更したことを示す情報（ｃｅｌｌＲｅｓｅｌｅｃｔ）が設定可能であることを要旨とする。
【０１１２】
本実施形態の第６の特徴は、移動局ＵＥであって、取得部１１と、ＭＤＴログ管理部１２と、送信部１３とを具備しており、移動局ＵＥが、待ち受け状態である場合に、取得部１１は、所定タイミングで、移動局ＵＥの位置情報を取得して、ＭＤＴログ管理部１２は、「ＬｏｇＭＤＴｒｅｐｏｒｔ」を生成して記憶するように構成されており、移動局ＵＥが、待ち受け状態である場合に、取得部１１は、「Ｌｏｇｇｅｄ  ＭＤＴ  ｍｅａｓｕｒｅｍｅｎｔ  ｐｅｒｉｏｄ」で規定されている周期で、「ＭＤＴ  Ｃｏｎｆｉｇｕｒａｔｉｏｎ」で指定されたセルにおける無線品質を取得して、ＭＤＴログ管理部１２は、「ＬｏｇＭＤＴｒｅｐｏｒｔ」を生成して記憶する記憶するように構成されており、移動局ＵＥが、待ち受けセルを変更した場合に、ＭＤＴログ管理部１２は、「ＬｏｇＭＤＴｒｅｐｏｒｔ」を生成して記憶するように構成されており、移動局ＵＥが、圏外エリアに入ったことを検出した場合に、ＭＤＴログ管理部１２は、「ＬｏｇＭＤＴｒｅｐｏｒｔ」を生成して記憶するように構成されており、移動局ＵＥが、アクティブ状態に遷移した後に、送信部１３は、無線基地局ｅＮＢに対して、「ＬｏｇＭＤＴｒｅｐｏｒｔ」を送信するように構成されており、「ＬｏｇＭＤＴｒｅｐｏｒｔ」には、移動局ＵＥの位置情報（ＬｏｃａｔｉｏｎＩｎｆｏ）、上述の無線品質（ＭｅａｓＲｅｓｕｌｔ）、移動局ＵＥが待ち受けセルを変更したことを示す情報（ＣｅｌｌＲｅｓｅｌ）及び移動局ＵＥが在圏エリアに入ったことを示す情報（ｏｏｓ）のいずれか１つのみが設定可能であることを要旨とする。
【０１１３】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【０１１４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１１５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【０１１６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１１７】
ＵＥ…移動局
ｅＮＢ…無線基地局
１１…取得部
１２…ＭＤＴログ管理部
１３…送信部
【図１】
0005349422.tif 000002
【図２】
0005349422.tif 000003
【図３】
0005349422.tif 000004
【図４】
0005349422.tif 000005
【図５】
0005349422.tif 000006
【図６】
0005349422.tif 000007
【図７】
0005349422.tif 000008